(57)【要約】      （修正有）【課題】比較的長期にわたる此の種療養時の伏臥睡眠による肉体的、精神的疲労又は苦痛を可能な限り緩和し且つ除去し得るクッション性寝具又は用具を提供する。【解決手段】用具をクッション性枕型又はマット型に形成し、その一部に顔面が挿入され得るクッション性凹部を設け、此の凹部の中底上に双眼及び鼻孔部に相当する小穴を設けるか或は設けず、その外側から通気管を挿通するか或は開孔して外気を自由に流通し得る様に構成し、場合に依っては伏臥時に双腕を乗せる腕受け部を前記枕部分或は前記マット前半部の顔面挿入クッション性凹部に接近して並設し、更にここに伏臥する患者の下半身が前記顔面挿入クッション凹部部分及び腕受け部に凭れ掛かれる様に調節又は形成する。【選択図】図４
2004351217.tif 000002
【特許請求の範囲】
【請求項１】
適当なクッション性を有し且つ中央に所定深さの顔面状凹部を備えると供に、平板状底部を備えたドーナツ状円筒体より成り、そのドーナツ状筒体の内側上下に適当な深さの段差を備えると供に、左右内側の所定位置に前記凹部の底面上に向けて貫通する少なくとも一本の通気管を備えた事を特徴とする伏臥就寝、休養又は治療用クッション用具。
【請求項２】
適当なクッション性を有し且つ中央に所定深さの顔面状の凹部を備えると供に、やや長い平板状底部と波形表面を備えた枕型曲面体より成り、その凹部の内側上下に前記波形表面に相似した段差を、その中底部に三個の小穴を夫々設けると供に、前記枕型曲面体の外側から一対の通気管を貫通して前記凹部の最下位の底部内に通気し得る如く構成し、更に前記枕状曲面体の外側下部に人の肩幅の間隔を隔てて一対のクッション性腕受けを装着した事を特徴とする伏臥就寝、休養又は治療用クッション用具。
【請求項３】
適当なクッション性を有し且つ二つ折り可能なクッションマットより成り、その一方のクッション性マットの上方中央に通気孔を備えた顔面状のクッション性凹部を備えると供に、その両側下側に一対の人の肩幅の腕受けを備え、前記クッション性凹部の縁部には、ここに挿入される顔面の一部を支承する手段を備えると同時に、前記二つ折り可能なクッションマットの他方の部分は、手動的又は自動的に約２５度折り曲がる様に構成されている事を特徴とする伏臥就寝、休養又は治療用クッション用具。
【請求項４】
適当なクッション性を有し且つ三つ折り可能なクッションマットより成り、その第一マットの上方中央に通気孔を備えた顔面状のクッション性凹部を備えると供に、その両側下側に一対の人の肩幅の腕受けを備え、前記クッション性凹部の縁部には、ここに挿入される顔面の一部を弾性的に支承又は挟持する手段を備え、前記三つ折りマットの残余の部分は、手動的又は自動的に前記第一マットに対して約９０度に折り曲がる様に構成されている事を特徴とする伏臥就寝、休養又は治療用クッション用具。
【発明の詳細な説明】
【技術分野】
【０００１】      本発明は、伏臥就寝、休養又は治療用クッション用具特に網膜剥離手術後の眼球下向き維持伏臥就寝、休養用クッション用具、又は臀部、背部等の傷或は腫瘍又は火傷等の伏臥手術又は治療、療養用クッション用具に関する。
【背景技術】
【０００２】      従来、網膜剥離手術後の就寝、休養又は治療、或は臀部、背部等の外科手術又は此ら部分の傷、火傷、腫瘍等の治療、その術後の睡眠、休養等に於て、眼球の下向き平行維持や背部の上向き維持等を必要とする場合には、巻き布団或は折り布団等に凭れるか、或は枕を額に座布団を顎に当てて、目的とする姿勢を維持する様に努力する事を余儀なくされており、疲労を伴わず就寝出来る容易且つ有効な伏臥就寝又は休養用具又は補助手段は提案されていないのが実情である。【０００３】      然しながら、此の種伏臥就寝、休養用の簡単な枕に関しては、下記の特許文献に開示されているが、此の枕は、一枚の基板と、ターンバックル仕様の支柱で前記基板に対し８０度−３０度に傾斜し得る如く調節される枕板とよりなるもので、この適当角度に調節された枕板のくり貫き孔に、顔表面を当てがって伏臥就寝、休養する如く構成されたものである。
【特許文献１】      実開公昭６１−１３４３６９号
【発明の開示】
【発明が解決しようとする課題】
【０００４】      上記の伏臥就寝用枕は、その就寝、休養時に顔面当て用の枕板が就寝平面に対して８０度−３０度間に調節維持される様に構成されているので、この様な姿勢での就寝、休養では常時首筋に負荷が掛かり、到底安眠を得られるとは考えられず、特に網膜剥離手術後の眼球の下向き平行維持の就寝姿勢は得られる術も無く、此の種患者には到底満足すべき就寝、休養用具とは言いえないのが実情である。【０００５】      本発明は、かかる伏臥就寝時等で首筋、頭部に掛かる負荷を軽減すると供に、就寝中の吸気も安全且つ自然になし得る如く構成された伏臥就寝、休養又は治療用クッション用具、特に網膜剥離手術後用として有効な此の種用具を提供する事を課題とするものである。【０００６】      特に網膜剥離手術後の就寝等に於ては、常に目の硝子体と網膜間に注入されたガスが吸収され、網膜が脈絡膜に接着するまでの長時間、床に対して下向き水平に保たれる必要があるので、この間の患者或は治療者は、肉体的、精神的ストレスの為に極度の睡眠不足に陥り、その回復にも相当影響する事態を招いている。
この様な塗炭の苦しみは、経験者でなければ理解し難く、一日も早い解決手段の提供が求められている。
【課題を解決する為の手段】
【０００７】      そこで本発明に於ては、この様な伏臥就寝、休養、又は治療時の苦痛を和らげる為に、クッション性の底付き円筒体、或は底なし円筒体即ちドーナツ型円筒体水平枕を提案し、この枕のドーナツ状凹み部分の内側上下部分に、クッション性の段差を設けるか、或は両頬部分を挟持支承する鋭角挟持板を両側に設けるかして、伏臥した患者若しくは使用者の額及び顎又は両頬を支承する事に依り、頭部、首部に掛かる負荷を軽減する様に考慮している。
【０００８】      更に又、この様な苦痛軽減の他の一手段は、上記ドーナツ型枕に似た顔面挿入穴を頂部に備えた横長曲面体枕と、人の肩幅の間隔を隔てて並設されたクッション性腕受けとを、前者の下部に組合せて縦設し、使用者又は患者が伏臥した際、その腕部分をクッション性腕受けの溝部内で受け止めて、頭部、胸部、腹部の上半身が、枕と腕受けに凭れ掛かる姿勢となる様に工夫し、この部分に掛かる負荷を分散して、その圧迫感を和らげる様に構成した事を特徴としている。
【０００９】      更に今一つの苦痛軽減手段は、二対若しくはそれ以上の脚柱で支承され、少なくとも一対の蝶番で折畳自在に構成された一組以上のクッション性マット部分の第一部分に、上記した顔面挿入用凹部と腕承け部とを設け、残余のマット部分は、前記二対の脚柱の一本上に設けられたハンドルを操作して、夫々の折畳線に従い、所定角度上下し得る様に構成し、前記凹部に顔面を、又腕承け部に腕を乗せて伏臥した時、下半身がこの部分のマットに寄り掛かった姿勢となり、頭部及び腹部の俯せ面に掛かる荷重圧迫感を相当軽減し、比較的楽に就寝し、休養し得る様に構成した事を特徴とするものである。
【発明の効果】
【００１０】      この様な構成、作用に依って本発明のクッション性用具は、以下の如き優れた諸効果を有している。
（１）比較的簡単で安価且つ効果的な伏臥就寝、休養又は治療用クッション用具を提供出来る。
（２）クッション性が良好で伏臥就寝時に多くの平行支点が形成されるので、比較的物理的苦痛が減少される。
（３）伏臥就寝時に凭れ部分が作れるので姿勢が楽である。
（４）網膜剥離手術後の療養に特効がある。
（５）用具に依っては持ち運びが容易の為便利である。
（６）クッション性用具内に小空間があり、材質が発泡性物質の為蒸れない。
（７）クッション性用具の一部は、通常の枕、寝具としても使用する事が出来る。
（８）更にクッション性用具の他の一部は、通常のベッド、健康器具用、リハビリ用、トレーニング用の器具として代用出来る。
【発明を実施する為の最良の形態】
【００１１】      斯の如き諸手段に依って、伏臥就寝、休養時には、網膜剥離手術後の患者の眼球は、たえず使用する枕或はマット面に対して下向き水平に保たれ、注入されたガス圧を定常に維持して網膜の剥離部分を可及的速やかに原状に回復させる事が出来、又背中の腫瘍等の療養では、傷部の摩擦等が防止されるので傷口の乾燥が早く、その汚染を防ぐ事も出来るので雑菌等の繁殖を防ぎ、回復を早める効果があり、更に当該用具の二つ折り、三つ折りマットでは、此等に依って可能となる凭れ姿勢の為に、伏臥時の肉体的、精神的苦痛、ストレスを軽減するので、睡眠、休養の時間も延長され、それに比例して体力の回復も速くなり、それに応じた治療の相乗効果を期待する事が出来る。
以下に図面を参照して本発明の実施例を説明する。
【実姉例１】
【００１２】      図１に示すクッション性枕型伏臥用具（１）は、本発明の最も単純な態様を示し、蕎麦殻、もみ殻等が充填されるか或は発泡ウレタン又は発泡ゴム等の素材より形成された楕円状円筒体よりなり、その底部（３）には、所定厚みのクッション材が貼着された形状のものである。
又その楕円状円筒体の内側上下の縁部には、クッション性の段差即ち額受け部及び顎受け部（４）（５）が設けられ、その下側の底部には少なくとも一組好ましくは二組の通気管（６）（６）及び（７）（７）が円筒体の外側から挿通され、前記段差に顔を乗せて伏臥した患者又は休養者の口又は鼻部分に常時新鮮な空気を流通する様に構成されている。
勿論、この底付き楕円状円筒体は、やや不安定となるとは云え、この底部（３）を取り付けず中空体として使用してもほぼ同様な効果を得る事が出来る。
しかしいずれの場合も、前記額受け（４）及び顎受け（５）の夫々は、顔面とクッション性底部（３）間に適当な空間を形成すると同時に、眼球を下向きに足方向に平行して維持する様に支承する事が必要である。
この様に伏臥姿勢を保つ事に依って、網膜剥離手術後のガス圧は、所定通りに維持されるので、この種クッション枕を使用すれば、術後の経過も良く、又俯きの顔面も額部分と顎部分の二か所で胴体と水平に支承するので、肉体的疲労も相当減少され、それに応じて睡眠時間も延長されるので、回復期間も相当短縮される利益がある。
【実施例２】
【００１３】      図２に示す態様のクッション性伏臥用具（８）は、本発明の他の実施例を示し、表面が波形のスポンジゴム等より成る細長い曲面体枕状のクッション材（９）より成り、その中央部に人の顔型状のクッション凹部（１０）を設け、更にその中底部上に双眼状小穴（１３）と口唇状の穴（１４）とを造設し、後者の両側に枕状クッション材（９）の外側面に連通する少なくとも一本のパイプ（１２）（１２）を挿通し、夫々の開孔（１２’）（１２’を通じて前記穴（１４）内に通気する様に構成されている。【００１４】      更に又、此の枕状のクッション性伏臥用具（８）の後側面上には、人の肩幅の腕受けクッション材（１１）が装着、接着又は併設されており、前記枕状クッション凹部（１０）内に支承される顔面の接触圧を、此の上に乗せられる両腕で分散し和らげる様に配慮されている。【００１５】      此の態様に於て、網膜剥離手術後の患者、又は背部即ち後頭部、背中又は臀部等の不具合或は傷、痛みの有る人々の就寝、休養時には、先ず第一に前記腕受け（１１）（１１）の受け溝（１５）（１５）内に自己の両腕を折り畳むか或は伸ばしたままで乗せた後、己が顔面を穴（１０）内に挿入し、両眼を小穴（１３）に、口及び鼻部を穴（１４）内に夫々挿入し、中底（Ｂ）で夫々頬、顎、額部分を支えて頭部の重さを相殺すると供に、鼻、口部が穴底面と軽く接触して、伏臥就寝又は休養中の呼吸を阻害しない様に構成されている。【００１６】      又、腕受けクッション材（１１）（１１）の受け溝（１５）（１５）内に折り曲げられるか伸ばしたままで受け入れられた伏臥者の両腕は、そのままで或は多少力を入れた状態で、枕状のクッション材（８）に挿入された頭部の各支承部分即ち額、頬及び顎都分との接触圧を加減し、顔面、首筋、背中等の各筋肉の疲労を防止する様に作用する。
【実施例３】
【００１７】      図３乃至図６には、更に本発明の他の実施例を示している。
此の態様の伏臥就寝、休養又は治療用クッションマット又は用具（１７）は、二対の脚柱（Ｌ）（Ｌ）で支承され、主として、蝶番等で二つ折される台板及びクッション性マット（１７Ａ）（１７Ｂ）より成り、後者のマット（１７Ｂ）は、ハンドル（１８）と此に連動するサポート（２３）とに依って、所定角度（最大２５度）上下する様に構成され、前者のマット（１７Ａ）上には、伏臥就寝又は休養時に、頭部顔面を挿入支承するクッション性凹部（１９）（１９’）と、その下部に人の肩幅を隔てて並設された腕受け溝部（２２）（２２）とが設けられ、更に前記凹部（１９）（１９’）には、その両側部又は底部から連通する通気孔（２１）（２１’）或はパイプ（図示せず）が挿通されている。【００１８】      此の様な構造の伏臥就寝、休養又は治療用クッションマット又は用具（１７）に於ては、伏臥就寝等の便用者又は患者（Ｍ）は、図４等に示す如く、先ず前半分マット（１７Ａ）上の凹部（１９）（１９’）内に頭部（Ｈ）を入れると同時に、腕受け溝部上に伸ばしたままの腕を或は折り畳んだ腕を乗せて伏臥し、凹部の両側に設けられた顔面挟持クッション板（２０）（２０）間に両頬（３４）（３４）を挟む（図１１ａ参照）と同時に、前記凹部に額（２４）及び顎（２５）を支承して顔面の圧迫を和らげると同時に、腕受け溝部（２２）（２２）上に乗せられた両腕で胴体部の重圧を支承する。【００１９】      更に又、図５及び図１１Ｂには、前記顔面挿入凹部（１９）の他の態様即ちクッション性の平行突起（２６）（２７）又は（２６’）（２７’）をその上下縁に備え、伏臥した患者（Ｍ）の額と顎とを支承し、さして無理なく伏臥就寝又は休養し得る如く構成した態様が示されているが、此の態様と図５及び図１１Ｂの態様との差異は、前者が用具表面のクッションマット上にほぼ同質のクッション材で一体的に装着されているに反し、後者の平行突起は、その側面全体をクッションマットで支承されているので、比較的安定して顔面の両部分を支承する。【００２０】      図６及び図８の伏臥顔面挿入凹部（１９’）（１９”）は、前記クッションマット部分とは別個のもので、図１１Ｃに示す如く、矢印（Ｓ）方向に取り外す事が出来る様に構成されており、図１のクッション性枕とほぼ同様な態様のものであるが、その差異は、前者が若干クッションマット面より突出した凹部の縁上に額と顎を支承するに反し、後者は図１１Ｃに示す如く、その凹部の傾斜部分（３５）に頬を挟持して伏臥し、底部から外部に貫通する細孔（２１”）からの通気で呼吸する様に構成されている。【００２１】      斯の如き種々な伏臥用凹部又は枕を備えた図４乃至６の二つ折りクッションマット又は用具（１７）であっても、体全体をほぼ水平に伏臥して就寝又は休養するのは顔面、腹部等に相当の重力が掛かり、長時間の就寝、休養は不可能であるから、此の重圧を緩和する為に、当該用具を支承する脚部（Ｌ）上等に手動又は自動のハンドル（１８）及びサポート（２３）を取り付け、前者を矢印（Ｒ）方向に回し、後者を（Ｆ）方向に移動させて、前記マットの後半分（１７Ｂ）を下方に引き下ろし、此の上に伏臥する患者又は就寝者（Ｍ）を、図６に示す如く、下半身の伏臥凭れ姿勢に変換させる。
斯くて患者（Ｍ）は、その願部、胸部、腹部、脚部に掛かる夫々の重力を相当に緩和する事が出来て、比較的楽に就寝、休養し、肉体的、精神的疲労並びにストレスを解消し、その結果傷、病等の早期回復にも繋がる好結果を期待する事が出来る。【００２２】      図７には、此の種二つ折りクッションマット又は用具（１７）の更に他の態様が示されている。
此の態様のクッションマット（１７）は、前記した様に頭部（Ｈ）の伏臥用のクッション性突起（２６’）（２７’）を備えると供に、三対の支承脚部（２８）（２８）（２８）を備え、その最後部の一対を、クッションマット後半部（１７Ｂ）下に設けられたウォームジャッキ（２９）（３０）とその作動ハンドル（３１）との連動に依って、矢印方向に折畳み、図６に示す前記マット後半部（１７Ｂ）と同様に、ほぼ２５度折り曲げて、此の上に伏臥する患者が、上記と同様な凭れ込み効果を得る様に作用する。
此の態様の折畳手段は、ウォームジャッキに依る動作であるから、その作用はスムース且つ正確に行われ得る。
【実施例４】
【００２３】      図８及び図９には、更に他の実施態様、即ち前記クッションマット又は用具（１７）が三つ折り可能に構成された態様のものが示されている。
此の態様に於て、前記クッション用具（１７）は、その台板と供に（１７Ａ）（１７Ｂ）及び（１７Ｃ）の三部分に区画されると供に、二対の脚部（２８）（２８）に依って支承され、更に此の後方脚部には、ジャッキ（３４）を装着した台車（３３）を備え、後述する如く、前記ジャッキ（３４）を操作する事に依って、クッション用具（１７）の各折畳部（Ｔ）（Ｔ１）を、図９乃至図１０Ａ−Ｃに示す如く曲折し、約２５度及び９０度の凭れ姿勢を形成し得る如く構成されている。【００２４】      斯の如き作用は、前記クッション用具（１７）の側部に取り付けられたハンドル（３２）を（Ｒ）方向に回転して、前記台車上に装着されたジャッキ（３４）を（Ｆ）方向に（３４’）にまで縮小させ、前記用具後半分（１７Ｂ＋１７Ｃ）を、折り目（Ｔ）より約２５度傾斜させてその下端を接地させ、図１０Ｂに示す如く、伏臥患者（Ｍ）の下半身を折り曲げ、用具前半分（１７Ａ）に凭れ掛かる姿勢を形成させる。【００２５】      更に此のハンドル（３２）を回転させ、ジャッキ（３４’）を（３４”）の位置にまで一層収縮させると、前記用具の後半分（１７Ｂ＋１７Ｃ）は、第２の折り目（Ｔ１）に沿って上向きに９０度折り曲がると供に、此の（１７Ｂ）部分は，前記台車（３３）上に直立し、最後部の（１７Ｃ）部分は、更に直角に折り曲って台車（３３）のデッキ上に引き上げられ、マット前半分（１７Ａ）に平行して階段状に変形され、図１０Ｃに示す如く，伏臥する患者（Ｍ）は膝関節以下を更に９０度折り曲げてクッション用具前半分（１７Ａ）に凭れ掛かる事が出来る様になるので、顔面部、腹部等の圧迫感を一層和らげる事が可能となる。【００２６】      更に此の態様に於るクッション性顔面挿入凹部（１９”）は、図１１Ｃ又は図８に示す如く、マット用具前半分（１７Ａ）から（Ｓ）方向に着脱自在に装着されており、その傾斜底部（３５）に依り、伏臥患者の頬部を側面より挟持し、底部に開孔する細孔（２１”）又は側方から挿通されている通気パイプ（図示せず）から通気され、支障なく呼吸し得る如く構成されている。
勿論、上記顔面挿入凹部（１９”）は、ほぼ図１のクッション性伏臥用枕と同様であり、マット前半分（１７Ａ）から取り外し、上記の伏臥用枕として使用しても差し支えない。【００２７】      斯くて上記伏臥用枕及び伏臥顔面挿入凹部（１）（８）（１９）（１９’）・・は、額、頬、顎部分が中底段部、クッション突起、クッション挟持板等で下向きに支持されているので、双眼、鼻口供に最下部の底面と接触する事がなく、圧迫感も、窒息感も感ぜられず、特に網膜剥離手術後の療養等では、常に眼球が床に対して下向き平行に維持されているので、注入されたガス圧も正常に維持され、その回復も早める事が出来る利点がある。【００２８】      尚、此等の二つ折り又は三つ折りの伏臥就寝用クッション用具（１７）は、そのハンドル（３１）又は（３２）とウォームジャッキ（２９）又は（３４）とを、適宜適所に配置し且つ適当に操作する事に依り、図１２Ｃ及びＥの如く、折り畳まれざる状態で上下方向に傾斜させ、或は図１２Ｄ及びＡの如く、二つ折り状態でその前半分（１７Ａ）を傾斜させるか傾斜させず、又図１２Ｂの三つ折り状態で傾斜させるか或は傾斜させず、種々な伏臥姿勢を形成出来るので、上記患者の就寝、休養又は治療用としてだけで無く、種々な用途、例えば種々な怪我、病気のリハビリ用、介護用、マッサージ用、鍼灸用、体育トレーニング用等にも利用し得る利益を備えている。
【産業上の利用可能性】
【００２９】      以上の如き作用、効果を備えた枕型伏臥クッション用具及び伏臥就寝、休養又は治療用クッション用具は、未だ提案されておらず、特に網膜剥離手術後の療養では、その注入ガス圧維持の為の姿勢の保持は、就寝中でも絶対に必要な条件であるから、通常の寝具等では極めた過酷な物理的条件が課せられるので、患者にとっては耐えがたい苦痛となっているが、本発明の用具では比較的安楽に長時間伏臥就寝し得るので、此の種病気の患者には、従来からの渇望品と思料され、加えて近時の高齢化社会では、寝たきり老人等の介護問題は、政治的にも社会問題化しつつあり、此の問題に当然係りをもつ床ずれ防止及びその治療等の用具としても有効に利用されると考えられる。
又、上記した様に、本発明のクッション性伏臥枕は、凹部に適当なクッション材を詰めれば、通常の枕としても利用出来、二つ折り、三つ折り伏臥就寝用クッション用具も又、上気した様に、諸病のリハビリ用具、体育トレーニング用具、エステ用具、マッサー用具等種々な用途が考えられるので、産業上の利用価値は極めて大きいと推測される。
【図面の簡単な説明】
【００３０】
【図１】    本発明の枕型伏臥クッション用具の一態様を示す平面図である。
【図２】    本発明の枕型伏臥クッション用具の他の態様を示す斜視図である。
【図３】    本発明の伏臥就寝用クッション用具の斜視図である。
【図４】    図３の用具の線Ｔ−Ｔに沿って切断した断面図である。
【図５】    図３のクッション性顔面挿入凹部と異なる態様の凹部を備えた伏臥就寝用クッション用具の断面図である。
【図６】    図３及び図５のクッション性顔面挿入凹部と更に異なる態様の凹部を備えた二つ折り伏臥就寝用クッション用具の断面図で、その後半分を所定角度傾斜させた状態を示す図面である。
【図７】    上記二つ折り伏臥就寝用クッション用具類と更に異なる態様のクッション用具の斜視図である。
【図８】    本発明の三つ折り伏臥就寝用クッション用具の平面図である。
【図９】    図８の用具の三つ折り作用を示す作用図である。
【図１０Ａ】    図８の用具の通常の使用態様を示す斜視図である。
【図１０Ｂ】    図８の用具の後半分を所定角度折り曲げた使用態様を示す斜視図である。
【図１０Ｃ】    図８の用具の後半分を更に所定角度折り曲げた使用態様を示す斜視図である。
【図１１ａ】    本発明の伏臥就寝用クッション用具のクッション性顔面挿入凹部中の顔面部を支承する一手段を示す斜視図である。
【図１１ｂ】    上記顔面挿入凹部中の顔面を支承する他の手段を示す断面図である。
【図１１ｃ】    上記顔面挿入凹部中の顔面を支承する更に他の手段を示す断面図である。
【図１２Ａ】    本発明の伏臥就寝用クッション用具の通常の二つ折り状態を示す正面略図である。
【図１２Ｂ】    上記と同様の三つ折り状態を示す正面略図である。
【図１２Ｃ】    上記クッション用具を所定角度下向きに傾斜させた状態を示す正面略図である。
【図１２Ｄ】    上記クッション用具を所定角度下向きに傾斜させると同時に後半分を所定角度下向きに折り曲げた状態を示す正面略図である。
【図１２Ｅ】    上記クッション用具を所定角度上向きに傾斜させた状態を示す正面略図である。
【符号の説明】
１            クッション性枕型伏臥用具
２            クッション性楕円状円筒体
３            クッション性底部
４            額受け部
５            顎受け部
８            腕受け付きクッション性枕型伏臥用具
１０            顔型状クッション凹部
１１            腕受けクッション材
１２            通気管
１７            伏臥就寝用クッション用具
１８            ハンドル
１９            顔面挿入クッション凹部
２０            顔面挟持クッション板
２１            通気孔
２２            腕受け溝部
２３            伏臥就寝用クッション用具サポート
【図１】
2004351217.tif 000003
【図２】
2004351217.tif 000004
【図３】
2004351217.tif 000005
【図４】
2004351217.tif 000006
【図５】
2004351217.tif 000007
【図６】
2004351217.tif 000008
【図７】
2004351217.tif 000009
【図８】
2004351217.tif 000010
【図９】
2004351217.tif 000011
【図１０】
2004351217.tif 000012
【図１１】
2004351217.tif 000013
【図１２】
2004351217.tif 000014